(57)【要約】【課題】ボイラドラム内のボイラ水の導電率をより適切に制御できるボイラ制御装置及び制御方法を提供する。【解決手段】実施形態によれば、水位計と給水弁とブロー弁と第１〜第３流量計と導電率計と第１及び第２制御部とを備えたボイラ制御装置が提供される。水位計は、ドラム内の水位を測定する。給水弁は、給水の流量を調整する。ブロー弁は、ブローの流量を調整する。第１流量計は、給水の流量を測定する。第２流量計は、蒸気の流量を測定する。第３流量計は、ブローの流量を測定する。導電率計は、ドラム内の水の導電率を測定する。第１制御部は、水位が一定になるように給水弁を制御する。第２制御部は、導電率計、第２流量計、第３流量計の測定結果を基に、所定時間経過した後の導電率を算出し、算出結果に応じて、導電率を設定範囲内に収めるようにブロー弁を制御する。【選択図】図１
2015215136.tif 000002
【特許請求の範囲】
【請求項１】
ボイラドラム内に貯留されたボイラ水の水位を測定する水位計と、
前記ボイラドラムに給水するボイラ水の流量を調整する給水弁と、
前記ボイラドラムからブローするボイラ水の流量を調整するブロー弁と、
前記ボイラドラムに給水するボイラ水の流量を測定する第１流量計と、
前記ボイラドラムから放出される蒸気の流量を測定する第２流量計と、
前記ボイラドラムからブローするボイラ水の流量を測定する第３流量計と、
前記ボイラドラム内に貯留されたボイラ水の導電率を測定する導電率計と、
前記水位計の測定結果及び前記第１流量計の測定結果を基に、前記水位が一定になるように前記給水弁を制御する第１制御部と、
前記導電率計の測定結果と、前記第２流量計の測定結果と、前記第３流量計の測定結果と、を基に、所定時間経過した後の前記導電率を算出し、算出結果に応じて、前記導電率を設定範囲内に収めるように前記ブロー弁を制御する第２制御部と、
を備えたボイラ制御装置。
【請求項２】
前記第２制御部は、前記第２流量計の測定結果を基に、蒸気の放出にともなう前記所定時間経過した後の前記導電率の増加量を算出し、前記導電率計の測定結果及び前記第３流量計の測定結果を基に、ブローにともなう前記所定時間経過した後の前記導電率の減少量を算出し、前記増加量及び前記減少量から前記所定時間経過した後の前記導電率を算出し、前記所定時間経過した後の前記導電率の算出結果を基にブローするボイラ水の流量を決定し、決定した流量に応じて前記ブロー弁を制御する請求項１記載のボイラ制御装置。
【請求項３】
前記所定時間をＴとし、
前記ボイラドラム内に貯留されたボイラ水の水量をＤＬとし、
ブローするボイラ水の流量をＢＬとし、
蒸気の放出にともなって給水されるボイラ水の流量をＪＬとし、
前記導電率計で測定された前記導電率をＵｄ０とし、
給水されるボイラ水の導電率をＵｋとし、
前記所定時間経過した後の前記導電率をＵｄｘとし、
前記設定範囲内に設定される前記導電率の目標値をＵｄｓとするとき、
前記第２制御部は、
Ｕｄｘ＝Ｕｄ０＋(ＪＬ×Ｔ×Ｕｋ/ＤＬ)−(ＢＬ×Ｔ×(Ｕｄ０−Ｕｋ)/ＤＬ)
で表される第１式により、前記導電率Ｕｄｘを算出し、前記導電率Ｕｄｘが前記設定範囲内にある場合には、
ＢＬ＝(ＪＬ×Ｕｋ)/(Ｕｄ０−Ｕｋ)
で表される第２式により、ブローするボイラ水の流量を決定し、前記導電率Ｕｄｘが前記設定範囲内にない場合には、
ＢＬ＝ＪＬ×Ｕｋ/(Ｕｄ０−Ｕｋ)＋ＤＬ×((Ｕｄ０−Ｕｄｓ)/(Ｕｄ０−Ｕｋ))/Ｔ
で表される第３式により、ブローするボイラ水の流量を決定する請求項２記載のボイラ制御装置。
【請求項４】
前記第２制御部は、前記導電率Ｕｄ０が前記設定範囲内にない場合には、ブローするボイラ水の流量を前記第３式で決定する請求項３記載のボイラ制御装置。
【請求項５】
ボイラドラム内に貯留されたボイラ水の水位を測定する水位計の測定結果と、前記ボイラドラムに給水するボイラ水の流量を測定する第１流量計の測定結果と、を基に、前記水位が一定になるように、前記ボイラドラムに給水するボイラ水の流量を調整する給水弁を制御する工程と、
前記ボイラドラム内に貯留されたボイラ水の導電率を測定する導電率計の測定結果と、前記ボイラドラムから放出される蒸気の流量を測定する第２流量計の測定結果と、前記ボイラドラムからブローするボイラ水の流量を測定する第３流量計の測定結果と、を基に、所定時間経過した後の前記導電率を算出し、算出結果に応じて、前記導電率を設定範囲内に収めるように、前記ボイラドラムからブローするボイラ水の流量を調整するブロー弁を制御する工程と、
を備えたボイラ制御方法。
【発明の詳細な説明】
【技術分野】
【０００１】
本発明の実施形態は、ボイラドラム内のボイラ水の導電率を設定範囲内に収めるように制御するボイラ制御装置及び制御方法に関する。
【背景技術】
【０００２】
ブローするボイラ水の流量及び放出される蒸気の流量に応じて給水するボイラ水の流量を調整することにより、ボイラドラム内のボイラ水の量を実質的に一定に制御するボイラ制御装置がある。以下では、ブローするボイラ水の流量を、「ブロー水流量」と称し、給水するボイラ水の流量を「給水流量」と称す。
【０００３】
ボイラ制御装置は、ボイラドラム内のボイラ水の導電率（以下、「ドラム導電率」と称す）が設定範囲内の時には、ブロー水流量を実質的に一定に保つ。そして、ボイラ制御装置は、ドラム導電率が設定範囲を外れた時には、ブロー水流量を一定量加算又は減算することにより、ドラム導電率を設定範囲内に収めるように制御する。
【０００４】
このため、ドラム導電率が高くなる要因の蒸気流量に相当する給水流量に対して、ドラム導電率が低くなる要因のブロー水流量が多い場合には、ドラム導電率が設定範囲の低い側に外れてしまう。例えば、適切なドラム導電率を維持する以上にブロー水流量が多くなるため、ボイラドラム内の温度が下がり、エネルギロスの要因となる。
【０００５】
また、蒸気流量に相当する給水流量に対して、ブロー水流量が少ない場合には、ドラム導電率が設定範囲の高い側に外れて、スケール付着の発生する要因となる。このため、ボイラ制御装置では、ドラム導電率をより適切に制御できるようにすることが望まれる。
【先行技術文献】
【特許文献】
【０００６】
【特許文献１】特開２００９−３０８１７号公報
【発明の概要】
【発明が解決しようとする課題】
【０００７】
本発明の実施形態は、ボイラドラム内のボイラ水の導電率をより適切に制御できるボイラ制御装置及び制御方法を提供する。
【課題を解決するための手段】
【０００８】
本発明の実施形態によれば、水位計と、給水弁と、ブロー弁と、第１流量計と、第２流量計と、第３流量計と、導電率計と、第１制御部と、第２制御部と、を備えたボイラ制御装置が提供される。前記水位計は、ボイラドラム内に貯留されたボイラ水の水位を測定する。前記給水弁は、前記ボイラドラムに給水するボイラ水の流量を調整する。前記ブロー弁は、前記ボイラドラムからブローするボイラ水の流量を調整する。前記第１流量計は、前記ボイラドラムに給水するボイラ水の流量を測定する。前記第２流量計は、前記ボイラドラムから放出される蒸気の流量を測定する。前記第３流量計は、前記ボイラドラムからブローするボイラ水の流量を測定する。前記導電率計は、前記ボイラドラム内に貯留されたボイラ水の導電率を測定する。前記第１制御部は、前記水位計の測定結果及び前記第１流量計の測定結果を基に、前記水位が一定になるように前記給水弁を制御する。前記第２制御部は、前記導電率計の測定結果と、前記第２流量計の測定結果と、前記第３流量計の測定結果と、を基に、所定時間経過した後の前記導電率を算出し、算出結果に応じて、前記導電率を設定範囲内に収めるように前記ブロー弁を制御する。
【発明の効果】
【０００９】
ボイラドラム内のボイラ水の導電率をより適切に制御できるボイラ制御装置及び制御方法が提供される。
【図面の簡単な説明】
【００１０】
【図１】実施形態に係るボイラシステムを模式的に表すブロック図である。
【図２】実施形態に係るボイラ制御装置の動作の一例を模式的に表すフローチャートである。
【発明を実施するための形態】
【００１１】
以下に、各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【００１２】
図１は、実施形態に係るボイラシステムを模式的に表すブロック図である。  
図１に表したように、ボイラシステム２は、ボイラドラム４と、給水タンク５と、給水ポンプ６と、ブロー水タンク８と、ボイラ制御装置１０と、を備える。
【００１３】
ボイラドラム４は、内部の空間にボイラ水を貯留する。ボイラドラム４に貯留されたボイラ水は、図示を省略した熱源によって加熱される。ボイラドラム４は、ボイラ水を収容するとともに、加熱によって生成された蒸気を収容する。ボイラドラム４は、換言すれば、蒸気ドラムである。ボイラドラム４は、例えば、配管などを介して水ドラムに接続してもよい。熱源によるボイラ水の加熱は、ボイラドラム４で行ってもよいし、水ドラムで行ってもよいし、ボイラドラム４と水ドラムとの間の配管経路上で行ってもよい。ボイラシステム２は、熱源や水ドラムなどをさらに含んでもよい。
【００１４】
給水タンク５は、配管などを介してボイラドラム４に接続されている。給水タンク５は、ボイラドラム４に供給するボイラ水を貯留する。ボイラ水には、例えば、水道水に対して所定の水処理を施したものなどが用いられる。
【００１５】
給水ポンプ６は、ボイラドラム４と給水タンク５との間の配管経路上に設けられている。すなわち、給水ポンプ６は、配管などを介してボイラドラム４と給水タンク５とに接続される。給水ポンプ６は、給水タンク５に貯留されたボイラ水をボイラドラム４に送り込む。給水ポンプ６は、例えば、ボイラドラム４と給水タンク５との間の配管内に圧力を加えることにより、ボイラ水をボイラドラム４に送る。
【００１６】
ブロー水タンク８は、配管などを介してボイラドラム４に接続されている。ブロー水タンク８は、ボイラドラム４からブローされたボイラ水を貯留する。すなわち、ブロー水タンク８は、ボイラドラム４から排出されたボイラ水を貯留する。
【００１７】
ボイラ制御装置１０は、水位計１２と、給水弁１４と、ブロー弁１６と、導電率計１８と、第１流量計２１と、第２流量計２２と、第３流量計２３と、第１制御部３１と、第２制御部３２と、を有する。
【００１８】
水位計１２は、ボイラドラム４に取り付けられている。水位計１２は、ボイラドラム４内に貯留されたボイラ水の水位を測定する。水位計１２は、第１制御部３１と電気的に接続されている。水位計１２は、ボイラ水の水位の測定結果を第１制御部３１に入力する。
【００１９】
給水弁１４は、ボイラドラム４と給水タンク５との間の配管経路上に設けられている。給水弁１４は、配管を介してボイラドラム４及び給水タンク５に接続される。給水弁１４は、例えば、ボイラドラム４と給水タンク５との間の配管を開閉する。これにより、給水弁１４は、ボイラドラム４に給水するボイラ水の流量を調整する。この例では、給水弁１４が、ボイラドラム４と給水ポンプ６との間に設けられている。給水弁１４は、例えば、給水タンク５と給水ポンプ６との間に設けてもよい。
【００２０】
ブロー弁１６は、ボイラドラム４とブロー水タンク８との間の配管経路上に設けられている。ブロー弁１６は、配管を介してボイラドラム４及びブロー水タンク８に接続される。ブロー弁１６は、例えば、ボイラドラム４とブロー水タンク８との間の配管を開閉する。これにより、ブロー弁１６は、ボイラドラム４からブローするボイラ水の流量を調整する。
【００２１】
導電率計１８は、ボイラドラム４内に貯留されたボイラ水の導電率（以下、ドラム導電率と称す）を測定する。ドラム導電率は、換言すれば、ボイラドラム４内に貯留されたボイラ水の単位体積あたりの抵抗値である。換言すれば、ボイラドラム４内に貯留されたボイラ水の単位体積あたりに含まれる不純物の量である。この例において、導電率計１８は、ボイラドラム４とブロー水タンク８との間の配管経路上に設けられている。導電率計１８は、例えば、ボイラドラム４からブローされたボイラ水の導電率により、ドラム導電率を測定する。導電率計１８は、第２制御部３２と電気的に接続されている。導電率計１８は、ドラム導電率の測定結果を第２制御部３２に入力する。導電率計１８の位置は、上記に限ることなく、ドラム導電率を測定可能な任意の位置でよい。導電率計１８は、例えば、ボイラドラム４内に設けてもよい。
【００２２】
第１流量計２１は、ボイラドラム４と給水タンク５との間の配管経路上に設けられている。第１流量計２１は、ボイラドラム４に給水するボイラ水の流量（以下、給水流量と称す）を測定する。第１流量計２１は、第１制御部３１と電気的に接続されている。第１流量計２１は、給水流量の測定結果を第１制御部３１に入力する。この例では、第１流量計２１が、ボイラドラム４と給水弁１４との間に設けられている。第１流量計２１の位置は、これに限ることなく、ボイラドラム４と給水タンク５との間の配管経路上の任意の位置でよい。
【００２３】
第２流量計２２は、ボイラドラム４から放出される蒸気を外部の機器などに供給する配管の経路上に設けられる。これにより、第２流量計２２は、ボイラドラム４から放出される蒸気の流量（以下、蒸気流量と称す）を測定する。第２流量計２２は、第２制御部３２と電気的に接続されている。第２流量計２２は、蒸気流量の測定結果を第２制御部３２に入力する。
【００２４】
また、蒸気の配管の経路上には、圧力計２５と温度計２６とが、さらに設けられている。圧力計２５は、ボイラドラム４から放出される蒸気の圧力を測定する。温度計２６は、ボイラドラム４から放出される蒸気の圧力を測定する。圧力計２５及び温度計２６は、第２制御部３２と電気的に接続されている。圧力計２５及び温度計２６のそれぞれは、測定結果を第２制御部３２に入力する。なお、圧力計２５及び温度計２６は、必要に応じて設けられ、省略可能である。
【００２５】
第３流量計２３は、ボイラドラム４とブロー水タンク８との間の配管経路上に設けられている。第３流量計２３は、ボイラドラム４からブローするボイラ水の流量（以下、ブロー水流量と称す）を測定する。第３流量計２３は、第２制御部３２と電気的に接続されている。第３流量計２３は、ブロー水流量の測定結果を第２制御部３２に入力する。この例では、第３流量計２３が、ブロー弁１６とブロー水タンク８との間に設けられている。第３流量計２３の位置は、これに限ることなく、ボイラドラム４とブロー水タンク８との間の配管経路上の任意の位置でよい。
【００２６】
第１制御部３１は、レベル演算部３１ａと、流量演算部３１ｂと、を有する。レベル演算部３１ａは、水位計１２によって測定された水位を基に、給水流量の補正量を算出する。レベル演算部３１ａは、ボイラドラム４内のボイラ水の水位を所定の水位にするための給水流量の補正量を算出する。レベル演算部３１ａは、例えば、ＰＩ演算により、補正量を算出する。
【００２７】
流量演算部３１ｂは、レベル演算部３１ａの演算結果と、第１流量計２１の測定結果と、を基に、レベル演算部３１ａの演算結果に応じた給水弁１４の操作量を算出する。流量演算部３１ｂは、例えば、ＰＩ演算により、給水弁１４の操作量を算出する。
【００２８】
第１制御部３１は、流量演算部３１ｂの算出した操作量に応じて、給水弁１４を制御する。このように、第１制御部３１は、水位計１２の測定結果及び第１流量計２１の測定結果を基に、ボイラドラム４内のボイラ水の水位が一定になるように給水弁１４を制御する。換言すれば、第１制御部３１は、水位が一定になるように給水流量を制御する。
【００２９】
ボイラドラム４からは、所定量の蒸気が常に放出される。また、ボイラドラム４からは、所定量のボイラ水が常にブローされる。第１制御部３１は、蒸気流量、ブロー水流量及び給水流量が、実質的に一定になるように、給水弁１４を制御する。なお、ブローは、一時的に停止させてもよい。
【００３０】
第２制御部３２は、導電率計１８の測定結果と、第２流量計２２の測定結果と、第３流量計２３の測定結果と、を基に、所定時間経過した後のドラム導電率を算出し、算出結果に応じて、ドラム導電率を設定範囲内に収めるようにブロー弁１６を制御する。
【００３１】
例えば、第２制御部３２は、第２流量計２２の測定結果を基に、蒸気の放出にともなう所定時間経過した後のドラム導電率の増加量を算出する。第２制御部３２は、導電率計１８の測定結果及び第３流量計２３の測定結果を基に、ブローにともなう所定時間経過した後のドラム導電率の減少量を算出する。第２制御部３２は、算出した増加量及び減少量から所定時間経過した後のドラム導電率を算出する。そして、第２制御部３２は、所定時間経過した後のドラム導電率の算出結果を基にブロー水流量を決定し、決定したブロー水流量に応じてブロー弁１６を制御する。
【００３２】
第２制御部３２は、流量演算部３２ａを有する。流量演算部３２ａは、決定したブロー水流量と、第３流量計２３の測定結果と、を基に、決定したブロー水流量の演算結果に応じたブロー弁１６の操作量を算出する。流量演算部３２ａは、例えば、ＰＩ演算により、ブロー弁１６の操作量を算出する。第２制御部３２は、流量演算部３２ａの算出した操作量に応じて、ブロー弁１６を制御する。これにより、第２制御部３２は、ドラム導電率を設定範囲内に収めるようにする。
【００３３】
ここで、所定時間をＴとする。ボイラドラム４内に貯留されたボイラ水の水量をＤＬとする。ブロー水流量をＢＬとする。蒸気の放出にともなって給水されるボイラ水の流量をＪＬとする。導電率計１８で測定されたドラム導電率をＵｄ０とする。給水されるボイラ水の導電率をＵｋとする。所定時間経過した後のドラム導電率をＵｄｘとする。
【００３４】
水量ＤＬは、上記のように、第１制御部３１によって実質的に一定に制御される。従って、水量ＤＬは、一定値として第２制御部３２に記憶されている。水量ＤＬは、例えば、水位計１２の測定結果を基に、第２制御部３２でリアルタイムに算出してもよい。
【００３５】
給水されるボイラ水の導電率Ｕｋは、予め測定され、一定値として第２制御部３２に記憶されている。導電率Ｕｋは、例えば、ボイラドラム４と給水タンク５との間の配管経路上に別の導電率計を設け、リアルタイムに測定して第２制御部３２に入力してもよい。
【００３６】
蒸気の放出にともなって給水されるボイラ水の流量ＪＬは、例えば、第２流量計２２、圧力計２５及び温度計２６の各測定結果を基に、第２制御部３２で算出される。第２制御部３２は、例えば、第２流量計２２の測定結果のみから流量ＪＬを算出してもよい。但し、上述のように、第２流量計２２、圧力計２５及び温度計２６の各測定結果から、流量ＪＬを算出する。これにより、流量ＪＬをより正確に算出することができる。
【００３７】
現時点から所定時間Ｔの経過までに蒸気の放出にともなって給水されるボイラ水の総量は、「ＪＬ×Ｔ」で表される。
【００３８】
導電率Ｕｋより、蒸気の放出にともなう所定時間Ｔ経過した後のコンダクタンスの増加量は、「ＪＬ×Ｔ×Ｕｋ」で表される。「ＪＬ×Ｔ×Ｕｋ」は、換言すれば、蒸気の放出にともなう所定時間Ｔ経過した後のボイラ水中の不純物（導電率に関連する物質）の増加量である。
【００３９】
水量ＤＬより、蒸気の放出にともなう所定時間Ｔ経過した後の導電率の増加量は、  
「ＪＬ×Ｔ×Ｕｋ／ＤＬ」で表される。
【００４０】
同様に、現時点から所定時間Ｔの経過までにブローにともなって給水されるボイラ水の総量は、「ＢＬ×Ｔ」で表される。
【００４１】
ブローにともなう所定時間Ｔ経過した後のコンダクタンスの増加量は、  
「ＢＬ×Ｔ×Ｕｋ」で表される。
【００４２】
一方、ドラム導電率Ｕｄ０のボイラ水が放出されるので、ブローにともなう所定時間Ｔ経過した後のコンダクタンスの減少量は、  
「ＢＬ×Ｔ×Ｕｄ０」で表される。但し、放出される間のドラム導電率Ｕｄ０の変化は、小さいものとして無視する。
【００４３】
ドラム導電率Ｕｄ０は、給水の導電率Ｕｋよりも大きい。従って、ブローにともなう所定時間Ｔ経過した後のコンダクタンスの減少量は、  
「ＢＬ×Ｔ×（Ｕｄ０−Ｕｋ）」で表される。
【００４４】
これにより、ブローにともなう所定時間Ｔ経過した後の導電率の減少量は、  
「ＢＬ×Ｔ×（Ｕｄ０−Ｕｋ）／ＤＬ」で表される。
【００４５】
以上より、現時点のドラム導電率Ｕｄ０から所定時間Ｔ経過した後のドラム導電率Ｕｄｘは、現時点のドラム導電率Ｕｄ０、蒸気の放出にともなう増加量、及び、ブローにともなう減少量から、  
Ｕｄｘ＝Ｕｄ０＋(ＪＬ×Ｔ×Ｕｋ/ＤＬ)−(ＢＬ×Ｔ×(Ｕｄ０−Ｕｋ)/ＤＬ)  
で表される第１式により、算出することができる。
【００４６】
上記の第１式をブロー水流量ＢＬについてまとめると、  
ＢＬ＝ＪＬ×Ｕｋ/(Ｕｄ０−Ｕｋ)＋ＤＬ×((Ｕｄ０−Ｕｄｘ)/(Ｕｄ０−Ｕｋ))/Ｔ  
となる。
【００４７】
ドラム導電率Ｕｄｘが収めたい設定範囲内にある場合には、上式において、ドラム導電率Ｕｄｘは、ドラム導電率Ｕｄ０と同じであると考える。  
すなわち、(Ｕｄ０−Ｕｄｘ)＝０であると考える。
【００４８】
この場合には、  
ＢＬ＝(ＪＬ×Ｕｋ)/(Ｕｄ０−Ｕｋ)  
で表される第２式により、ブロー水流量ＢＬを決定する。これにより、ドラム導電率Ｕｄｘを設定範囲内に収めることができる。
【００４９】
一方、ドラム導電率Ｕｄｘが収めたい設定範囲内にある場合には、上式において、ドラム導電率Ｕｄｘを目標値Ｕｄｓに置き換える。すなわち、  
ＢＬ＝ＪＬ×Ｕｋ/(Ｕｄ０−Ｕｋ)＋ＤＬ×((Ｕｄ０−Ｕｄｓ)/(Ｕｄ０−Ｕｋ))/Ｔ  
で表される第３式により、ブロー水流量ＢＬを決定する。
【００５０】
これにより、所定時間Ｔ経過した後のドラム導電率を目標値Ｕｄｓにすることができる。目標値Ｕｄｓは、ドラム導電率の設定範囲内に設定される。目標値Ｕｄｓは、例えば、設定範囲の上限と下限との中央値に設定される。目標値Ｕｄｓは、設定範囲の上限と下限との間の任意の値でよい。
【００５１】
第２制御部３２は、上記の第１式により、所定時間Ｔ経過した後のドラム導電率Ｕｄｘを算出する。そして、ドラム導電率Ｕｄｘが、設定範囲内あるか否かを判定する。設定範囲内にあると判定した場合には、上記の第２式によりブロー水流量ＢＬを決定し、決定したブロー水流量に応じてブロー弁１６を制御する。一方、設定範囲内にないと判定した場合には、上記の第３式によりブロー水流量ＢＬを決定し、決定したブロー水流量に応じてブロー弁１６を制御する。
【００５２】
また、第２制御部３２は、導電率計１８で測定されたドラム導電率Ｕｄ０を基に、ドラム導電率Ｕｄ０が設定範囲内にあるか否かを判定する。第２制御部３２は、設定範囲内にあると判定した場合には、上記の第１式でドラム導電率Ｕｄｘを算出する処理を実行する。一方、設定範囲内にないと判定した場合には、上記の第３式によりブロー水流量ＢＬを決定し、決定したブロー水流量に応じてブロー弁１６を制御する。
【００５３】
第１制御部３１及び第２制御部３２は、例えば、それぞれ別のプロセッサに設けられる。第１制御部３１及び第２制御部３２は、１つのプロセッサに設けてもよい。すなわち、第１制御部３１及び第２制御部３２は、１つのプロセッサに設けられた論理ブロックでもよい。
【００５４】
図２は、実施形態に係るボイラ制御装置の動作の一例を模式的に表すフローチャートである。  
図２に表したように、ボイラ制御装置１０の第１制御部３１は、動作を開始すると、ボイラドラム４内のボイラ水の水位を実質的に一定に制御する（ステップＳ０１）。第１制御部３１は、水位計１２の測定結果及び第１流量計２１の測定結果を基に、ボイラドラム４内のボイラ水の水位が一定になるように、給水弁１４を制御する。
【００５５】
第２制御部３２は、動作を開始すると、ドラム導電率Ｕｄ０を測定する（ステップＳ０２）。すなわち、第２制御部３２は、動作の開始に応答して導電率計１８からドラム導電率Ｕｄ０の測定結果を取得する。
【００５６】
第２制御部３２は、取得したドラム導電率Ｕｄ０が設定範囲内にあるか否かの判定を行う（ステップＳ０３）。
【００５７】
第２制御部３２は、ドラム導電率Ｕｄ０が設定範囲内にあると判定した場合、上記の第１式により、所定時間経過した後のドラム導電率Ｕｄｘを算出する（ステップＳ０４）。
【００５８】
第２制御部３２は、ドラム導電率Ｕｄｘを算出した後、ドラム導電率Ｕｄｘが設定範囲内にあるか否かの判定を行う（ステップＳ０５）。
【００５９】
第２制御部３２は、ドラム導電率Ｕｄｘが設定範囲内にあると判定した場合、上記の第２式により、ブロー水流量ＢＬを決定し、決定したブロー水流量に応じてブロー弁１６を制御する（ステップＳ０６）。
【００６０】
一方、第２制御部３２は、ドラム導電率Ｕｄｘが設定範囲内にないと判定した場合、上記の第３式により、ブロー水流量ＢＬを決定し、決定したブロー水流量に応じてブロー弁１６を制御する（ステップＳ０７）。
【００６１】
また、第２制御部３２は、ステップＳ０３において、ドラム導電率Ｕｄ０が設定範囲内にないと判定した場合、上記の第３式により、ブロー水流量ＢＬを決定し、決定したブロー水流量に応じてブロー弁１６を制御する。
【００６２】
このように、本実施形態に係るボイラ制御装置１０は、導電率計１８の測定結果と、第２流量計２２の測定結果と、第３流量計２３の測定結果と、を基に、所定時間Ｔ経過した後のドラム導電率Ｕｄｘを算出し、算出結果に応じて、ドラム導電率を設定範囲内に収めるようにブロー弁１６を制御する。
【００６３】
これにより、本実施形態に係るボイラ制御装置１０では、例えば、ドラム導電率が設定範囲を外れた時にブロー水流量を一定量加算又は減算する制御装置などに比べて、ボイラドラム４内のボイラ水の導電率をより長い時間設定範囲内に収めることができる。
【００６４】
従って、例えば、ドラム導電率が設定範囲の高い側に外れることに起因するスケール付着の発生を抑制することができる。例えば、ドラム導電率が設定範囲の低い側に外れることに起因して、必要以上にブロー水流量が多くなってしまうことを抑制することができる。例えば、ブロー水流量の増大にともなうボイラドラム４内の温度の低下により、エネルギロスが生じてしまうことを抑制することができる。
【００６５】
このように、本実施形態に係るボイラ制御装置１０では、ボイラドラム４内のボイラ水の導電率をより適切に制御することができる。
【００６６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６７】
２…ボイラシステム、４…ボイラドラム、５…給水タンク、６…給水ポンプ、８…ブロー水タンク、１０…ボイラ制御装置、１２…水位計、１４…給水弁、１６…ブロー弁、１８…導電率計、２１…第１流量計、２２…第２流量計、２３…第３流量計、２５…圧力計、２６…温度計、３１…第１制御部、３２…第２制御部
【図１】
2015215136.tif 000003
【図２】
2015215136.tif 000004